(57)【要約】【課題】従来用いられている磁気により書き換え表示可能な表示装置に用いられる磁気ペンは書き込みだけしかできず、書いた画像データをコンピュータ等へ取り込むことができないものが主であった。また、従来用いられているデジタルペン等は書いた画像をコンピュータ等へ画像データを取り込むことはできるが、書いた画像等はメモ用紙などにボールペンで記載する為、記載したメモ用紙は書き換えを行うことが困難であり、新しい文字や画像を書く場合は新しいメモ用紙等を使う必要がある。【解決手段】磁気を発生させるユニットと、表示体上の位置情報発信手段もしくは位置検出手段、又はこれらの両方とも備えるユニットを有することにより、課題を解決できる。【選択図】図２
2018073372.tif 000002
【特許請求の範囲】
【請求項１】
磁気を発生させるユニット１と、表示体上の位置情報発信手段もしくは位置検出手段、又はこれらの両方とも備えるユニット２を有することを特徴とするモジュラユニット。
【請求項２】
前記磁気を発生させるユニット１が、磁力により書き込み可能な表示体に書き込み可能であることを特徴とする請求項１に記載のモジュラユニット。
【請求項３】
前記磁力を発生させるユニット１が、磁力により消去可能な表示体の画像を消去できることを特徴とする請求項１に記載のモジュラユニット。
【請求項４】
前記磁力により書き込み可能な表示体に書き込み可能である前記磁力を発生させるユニット１ａと前記磁力により消去可能な表示体の画像を消去可能である前記磁力を発生させるユニット１ｂを有することを特徴とする前記請求項１に記載のモジュラユニット。
【請求項５】
前記表示体の位置情報発信手段又は位置検出手段を有するユニット２が撮像ユニットであることを特徴とする請求項１に記載のモジュラユニット。
【請求項６】
前記表示体の位置情報発信手段又は位置検出手段を有するユニット２が撮像ユニットであり、且つ前記撮像ユニットが前記表示体上の表示画像を記録することを特徴とする請求項１に記載のモジュラユニット。
【発明の詳細な説明】
【技術分野】
【０００１】  この発明は磁気により書き換え表示可能な表示装置に書き込み及び消去できるユニットと表示画像を記録できるユニットを有するモジュラユニットに関するものである。
【背景技術】
【０００２】  従来用いられている磁気により書き換え表示可能な表示装置に用いられる磁気ペンは書き込みだけしかできず、書いた画像データをコンピュータ等へ取り込みを行うことができないものが主であった。例えば、特許文献１特公昭５９−３２７９６号には表示磁性粒子を反転させて表示を行う磁気表示パネルが提案されている。
また、従来用いられているデジタルペン等は書いた画像をコンピュータ等へデータを取り込むことはできるが、書いた画像等はメモ用紙などにボールペンで記載することが主で記載したメモ用紙は書き換えを行うことが困難であり、新しい文字や画像を書く場合は新しいメモ用紙等を使う必要がある。（例えば、特許文献２  特開２００６−１５４９８６号  参照）
具体的にはデジタルペン（電子ペン）は手書きの文字及び／又は図形の情報を、デジタル化し、取得するデバイスの一つであり、物理的なインクを用いて筆記するボールペンに、用紙上の位置情報を読み取る為の装置を内蔵したデバイスである。デジタルペンは、あらかじめ用紙上に印刷されたドットパターンを、電子ペンに内蔵された光学系（赤外線レーザー及び／又はＣＣＤカメラ等によって構成される）によって取得し、取得されたドットパターンからペン先の位置を計算し、ペン先の動きの時系列データを作成、作成された時系列データを記録する。
【先行技術文献】
【特許文献】
【０００３】
【特許文献１】  特公昭５９−３２７９６号公報
【特許文献２】  特開２００６−１５４９８６号公報
【発明の概要】
【発明が解決しようとする課題】
【０００４】  本発明は磁気により書き換え表示可能な表示装置を書き換え可能であり、且つ書いた画像データをコンピュータ等へ取り込むことができるモジュラユニットを提供する。
【課題を解決するための手段】
【０００５】１．磁気を発生させるユニット１と、表示体上の位置情報発信手段もしくは位置検出手段、又はこれらの両方とも備えるユニット２を有することを特徴とするモジュラユニット。
２．前記磁気を発生させるユニット１が、磁力により書き込み可能な表示体に書き込み可能であることを特徴とする請求項１に記載のモジュラユニット。
３．前記磁力を発生させるユニット１が、磁力により消去可能な表示体の画像を消去できることを特徴とする請求項１に記載のモジュラユニット。
４．磁力により書き込み可能な表示体に書き込み可能である磁力を発生させるユニットと磁力により消去可能な表示体の画像を消去である磁力を発生させるユニットを有することを特徴とする１項に記載されたモジュラユニット。
５．前記表示体の位置情報発信手段又は位置検出手段を有するユニット２が撮像ユニットであることを特徴とする請求項１に記載のモジュラユニット。
６．前記表示体の位置情報発信手段又は位置検出手段を有するユニット２が撮像ユニットであり、且つ前記撮像ユニットが前記表示体上の表示画像を記録することを特徴とする請求項１に記載のモジュラユニット。
【発明の効果】
【０００６】  本発明によるモジュラユニットによれば、磁気にて書き換え可能な表示装置に書き込み及び消去可能であり、且つ、書き込まれた文字及び図形等の画像データをコンピュータ等へ取り込むことができるようになる。それに伴い消耗品であった用紙が不要になり、また、取り込んだ画像データをコンピュータ等で加工修正などができるようになる。
【図面の簡単な説明】
【０００７】
【図１】本発明に係るモジュラユニットの外観図
【図２】本発明に係るモジュラユニットの構成図
【図３】本発明の第１の実施の形態のデジタルペンによる磁気ペーパー上の座標を取得する手順の説明図
【発明を実施するための形態】
【０００８】  以下、本発明によるモジュラユニットの実施形態を、図を参照しながら説明する。
［第１の実施形態］
図１は、本発明の第１の実施形態のモジュラユニット１の外観図である。
モジュラユニット１は磁気により書き換え表示できる表示装置（磁気ペーパー等）に書き込みを行う磁気ペン先５と磁気ペン先５で書き込んだ画像を消去できる消去ブロック６を備える。また、磁気ペン先５により書き込んだ文字及び図形等の画像と表示装置上の位置情報を読み取る磁気ペン用光学系９ａと消去ブロック６にて消去された場合の画像と表示装置上の位置情報を読み取る消去ブロック用光学系９ｂを備える。
図２は、本発明の第１の実施形態のモジュラユニット１の構成図である。
本実施形態のモジュラユニット１はユニット１ａ：２とユニット１ｂ：３とユニット２：４で構成される。
ユニット１ａ：２は磁気により書き換え表示できる表示装置（磁気ペーパー等）に書き込みを行う磁気ペン先５と書き込み動作を検知する筆圧センサー７ａで構成される。ユニット１ｂ：３は磁気ペン先５で書き込んだ画像を消去できる消去ブロック６と消去ブロック用磁石８及び消去動作を検知する消去ブロック圧センサー７ｂで構成される。この消去ブロック６と消去ブロック用磁石８の関係は磁気による書き換え可能な表示装置（磁気ペーパー等）へ消去可能な磁界を与える距離関係を保つものである。磁気ペン先５により表示されて表示装置最上部に移動している磁性粉は消去可能な磁界を与えることにより、消去可能である。消去ブロック６はその最適な距離関係を保つ働きと表示装置上を大きな抵抗なしに滑らせる効果を有する。
消去ブロック圧センサー７ｂは消去ブロック６により消去動作が行われた時にＯＮなり、検知を行う。
ユニット２：４は磁気ペン用光学系９ａ、消去ブロック用光学系９ｂ、メモリ１０、演算プロセッサー１１、電源１２、通信インターフェイス１３を備える。
磁気ペン用光学系９ａ又は消去ブロック用光学系９ｂによって取得された画像データは、演算プロセッサー１１によって計算され、演算プロセッサー１１は磁気ペン先５又は消去ブロック６の位置情報及び書いた日時又は消去した日時を取得する。なお、磁気ペン先５又は消去ブロック６の軌跡、書く速さ（消す速さ）、筆圧（消し圧）、及び磁気ペン先５又は消去ブロックの傾きを取得してもよい。メモリ１０は筆記用メモリ及び消去用メモリを含みモジュラユニット１が筆記モードの際に取得したデータは、筆記用メモリに保存され、消去モードの際に取得されたデータは消去用メモリに保存される。モジュラユニット１の通信インターフェイス１３が転送装置（図示せず）に接続されることによって、モジュラユニット１に保存された筆記データ及び消去データは、コンピュータ等（図示せず）に備わるデータ保存部に転送される。
本実施の形態のモジュラユニット１は図３に示す所定のドットパターンが形成された磁気ペーパー１４（表示装置）を用いる。この所定のドットパターンは磁気ペーパー１４上の位置を検出する為に用いられる。モジュラユニット１はドットパターンが形成された磁気ペーパー１４に文字及び／又は記号等が記入される位置を検出する為に、モジュラユニット１に備わる磁気ペン用光学系９ａ及び消去ブロック用光学系９ｂによってドット１７を撮影し、撮影によって得られた画像データを演算プロセッサー１１によって処理し、位置座標を算出した後、算出した位置座標と磁気ペーパー１４上のドット１７が撮影された時間の情報とを含む位置情報とをメモリ１０に保存する。
磁気ペーパー１４上の一部１５を拡大すると基準点１６をはじめ、複数の位置検出用のドット１７が印刷されている。
【符号の説明】
【０００９】１、  モジュラユニット
２、  ユニット１ａ
３、  ユニット１ｂ
４、  ユニット２
５、  磁気ペン先
６、  消去ブロック
７ａ、筆圧センサー
７ｂ、消去ブロック圧センサー
８、  消去ブロック用磁石
９ａ、磁気ペン用光学系
９ｂ、消去ブロック用光学系
１０、メモリ
１１、演算プロセッサー
１２、電源
１３、通信インターフェイス
１４、磁気ペーパー（磁気により書き換える表示装置）
１５、磁気ペーパーの一部
１６、基準点
１７、位置検出用のドット
【図１】
2018073372.tif 000003
【図２】
2018073372.tif 000004
【図３】
2018073372.tif 000005